【手続補正書】
【提出日】平成20年4月30日(2008.4.30)
【手続補正１】
【補正対象書類名】明細書
【補正対象項目名】特許請求の範囲
【補正方法】変更
【補正の内容】
【特許請求の範囲】
【請求項１】
歌のセットからコンピレーション・ミックスを自動的に製作する方法であって、
(a) コンピレーションの継続時間にわたる種々の時点におけるコンピレーション・ミックスの支配的なビートの理想的な繰返し速度を表す時間マップを含むビート・プロファイルを生成するステップと、
(b) 前記歌のセットのうちの各歌の支配的なビートの繰返し速度を示す少なくとも一組の歌データを生成するステップと、
(c) 前記時間マップと共に前記歌データを処理することによって前記コンピレーション・ミックス内に時間的に前記歌を割り当て、前記歌は、前記コンピレーションの支配的なビートの繰返し速度が前記時間マップによって示される速度に近似し、また隣り合う歌の終了部分がオーバーラップするように相互に時間的に配置されるステップと、
を含む方法。
【請求項２】
１つまたは複数の歌のマスタ・セットからコンピレーション・ミックスを形成するための歌のセットを選択するステップをさらに含む、請求項１に記載の方法。
【請求項３】
前記ステップ(a)は、種々の所定のビート・プロファイルのセットから１つのビート・プロファイルを選択するサブステップをさらに含む、請求項２に記載の方法。
【請求項４】
前記ステップ(ｂ)は、歌の支配的なビートの繰り返し速度を表すビート値を生成するために選択された各歌を処理することを含む、請求項３に記載の方法。
【請求項５】
開始から終了までの歌の全体の継続時間を示す時間値を生成するために各歌を処理するステップをさらに含む、請求項１に記載の方法。
【請求項６】
各歌内のあらゆるビート・ドロップアウトの位置を特定するステップをさらに含む、請求項１に記載の方法。
【請求項７】
プロファイル内の最小ビート及び最大ビートの値及び時間的位置を計算するために前記ビート・プロファイルが処理され、
前記歌がコンピレーション内の時間的な位置に割り当てられて、分当たりの最小ビートおよび最大ビートを有する歌が時間マップの最小及び最大の位置に対応するシーケンス内の時点に配置されるようにする、請求項１に記載の方法。
【請求項８】
「最適」近似を使用して前記歌のビード速度を時間プロファイルに一致させることによって、残りの歌をコンピレーション・ミックスに割り当てて前記シーケンスを完成させる、請求項７に記載の方法。
【請求項９】
歌の順序を決定するために前記時間マップに歌を割り当てることに続いて、所定の様式で歌がオーバーラップするように歌が相互に時間的に関連して配置される、請求項８に記載の方法。
【請求項１０】
歌の間の所定のオーバーラップ量が各歌について同一であるように選択される、請求項９に記載の方法。
【請求項１１】
ビート・ドロップアウトが歌内に存在することを歌データが示す場合、歌が終了し次の歌が開始する時点として前記ドロップアウトが使用される、請求項１０に記載の方法。
【請求項１２】
各歌からオーバーラップ区間で生じる支配的なビートが時間的に位置合わせされるように歌が時間的に配置される、請求項１１に記載の方法。
【請求項１３】
オーバーラップ領域での時間圧縮のために一方の歌をスピード・アップし、または時間伸張のために一方の歌をスロー・ダウンして、またはこれらの組み合わせによって、ビート繰り返し速度を一致させるために、一組のオーバーラップしている部分のうちの１つまたは両方が処理される、請求項１２に記載の方法。
【請求項１４】
歌の残りの部分の速度をその公称（予め調整された）ビート繰返し速度へ時間をかけて徐々に戻すステップをさらに含む、請求項１３に記載の方法。
【請求項１５】
歌のオーバーラップする終了部分の振幅(ボリューム)をフェード・アウトさせ、及び／または歌のオーバーラップする開始部分をフェード・インさせるステップをさらに含む、請求項１に記載の方法。
【請求項１６】
請求項１乃至１５の何れか１項記載の方法にしたがって、歌のコンピレーション・ミックスを自動的に製作するように適応された装置。
【請求項１７】
歌のコンピレーション・ミックスを自動的に製作する装置であって、該装置は、コンパイルされる歌が記憶されるメモリの第１の領域と、前記メモリのデータを処理するプロセッサと、コンピュータ・プログラムと、を備え、
前記プロセッサ上で実行されるとき前記コンピュータ・プログラムは、
(a) コンピレーションの継続時間にわたる種々の時点におけるコンピレーション・ミックスの支配的なビートの理想的な繰返し速度を表す時間マップを含むビート・プロファイルを生成するステップと、
(b) 前記歌のセットのうちの各歌の支配的なビートの繰返し速度を示す少なくとも一組の歌データを生成するステップと、
(c) 前記時間マップと共に前記歌データを処理することによって前記コンピレーション・ミックス内に時間的に前記歌を割り当て、前記歌は、前記コンピレーションの支配的なビートの繰返し速度が前記時間マップによって示される速度に近似し、また隣り合う歌の終了部分がオーバーラップするように相互に時間的に配置されるステップと、
を実行するよう前記プロセッサに命令する、前記装置。
【請求項１８】
得られたコンピレーションを記憶データキャリア上に記録するように適応された出力記憶装置に接続するためのコネクタをさらに含む、請求項１７に記載の装置。
【請求項１９】
前記装置のプロンプトに応答して、ユーザが時間プロファイルを選択することができるデータ入力装置をさらに含む、請求項１８に記載の装置。
【請求項２０】
複数の歌からコンピレーション・ミックスを自動で生成することのできる装置であって、該装置は、
コンパイルすることのできる複数の歌および、所定の期間にわたって支配的なビート周期の要求される変化のマップの少なくとも一つと、
前記複数の歌のそれぞれに前記支配的なビート周期を設定して、前記少なくとも一つのマップと前記歌の支配的なビート周期の関連する変化との対応関係を備える前記複数の歌を順序付けするプロセッサと、
を含む装置。
【請求項２１】
複数のマップは、前記少なくとも一つのメモリに記憶される、請求項２０に記載の装置。
【請求項２２】
前記プロセッサは、前記コンパイルされた複数の歌の隣り合う歌のオーバーラップしている部分の支配的なビートを、少なくとも一つの隣り合う歌の支配的なビート周期を修正することにより同期することができる、請求項２０に記載の装置。
【請求項２３】
前記プロセッサは、前記修正前に、前記少なくとも一つの歌の前記支配的なビート周期を、前記少なくとも一つの隣り合う歌の支配的なビート周期に徐々に戻す、請求項２２に記載の装置。
【請求項２４】
記憶装置に接続できる出力ポートをさらに含み、コンパイルされた複数の歌を記憶することができる、請求項２０に記載の装置
【請求項２５】
複数の歌からコンピレーション・ミックスを自動的に生成する方法であって、
所定の期間にわたって支配的なビート周期の要求される変化の少なくとも一つマップを作るステップと、
前記複数の歌のそれぞれに前記支配的なビート周期を設定するステップと、
前記歌の支配的なビート周期の関連する変化と前記少なくとも一つのマップとの対応関係を備える前記複数の歌を順序付けするステップと、
を含む方法。
【請求項２６】
歌の少なくとも１つのマスタ・セットから前記複数の歌を選択するステップをさらに含む、請求項２５に記載の方法。
【請求項２７】
最適近似を用いて、前記少なくとも一つのマップの支配的なビート周期の要求される変化に、前記複数の歌のそれぞれの前記支配的なビート周期を合わせる、コンパイルするステップをさらに含む請求項２５に記載の方法。
【請求項２８】
前記コンパイルするステップは、
前記複数の歌のどの歌が最も高いおよび最も低い支配的なビート周期を有するかを求めるステップと、
前記少なくとも一つのマップのどの時点が前記最も高いおよび最も低い要求される支配的なビート周期を有するのかを求めるステップと、
前記最も高い支配的なビート周期の歌を前記最も高い要求されるビート周期の前記少なくとも一つのマップの時点に一致させ、前記最も低い支配的なビート周期の歌を前記最も低い要求されるビート周期の前記少なくとも一つのマップの時点に一致させるステップと、
をさらに含む請求項２７に記載の方法。
【請求項２９】
前記コンパイルされた複数の歌の隣り合う歌のオーバーラップしている部分の支配的なビートを、少なくとも一つの隣り合う歌の前記支配的なビート周期を修正することにより、同期するステップをさらに含む請求項２５に記載の方法。
【請求項３０】
前記修正前に、前記少なくとも一つの隣り合う歌の前記支配的なビート周期を、少なくとも一つの隣り合う歌の支配的なビート周期に徐々に戻す、請求項２９に記載の装置。
【請求項３１】
前記コンパイルするステップは、所定の様式で前記複数の歌をオーバーラップするステップをさらに含む請求項２５に記載の方法。
【請求項３２】
前記所定の様式は、各隣り合う組の歌のオーバーラップが同量である請求項３１の記載の方法。